(57)【特許請求の範囲】
【請求項１】
報知内容、当該報知内容を含む報知内容の集合を識別する識別情報、及び当該報知内容の重要度を含む情報である報知情報を取得する取得手段と、
前記取得手段によって取得された報知情報に含まれる報知内容に基づいた配信情報を送信する送信手段と、
前記送信手段によって送信済みの配信情報を所定のタイミングで再送させると共に、前記取得手段によって再送対象の配信情報に対応する報知情報に含まれる識別情報に対応する識別情報を含む報知情報が新たに取得された場合、当該再送対象の配信情報に対応する報知情報に含まれる報知内容の重要度と、当該新たに取得された報知情報に含まれる報知内容の重要度とを比較して、当該比較した結果に基づいて、当該再送対象の配信情報及び当該新たに取得された報知情報に含まれる報知内容に基づく配信情報の何れか一方の配信情報を送信させて、他方の配信情報を以後の送信対象から除外する制御手段と、
を備える情報送信装置。
【請求項２】
前記制御手段は、再送対象の配信情報に対応する報知情報に含まれる報知内容の重要度と、新たに取得した報知情報に含まれる報知内容の重要度とを比較した結果、再送対象の配信情報に対応する報知情報に含まれる報知内容の重要度と、新たに取得された報知情報に含まれる報知内容の重要度とが異なる場合に、新たに取得された報知情報に含まれる報知内容に基づく配信情報を送信させる、請求項１に記載の情報送信装置。
【請求項３】
前記配信情報を送信する範囲である配信範囲が予め定められており、
前記報知情報の報知内容の重要度は、前記配信範囲毎に定められており、
前記制御手段は、前記取得手段によって、再送対象の報知情報に含まれる識別情報に対応する識別情報を含む報知情報を新たに取得された場合、再送対象の報知情報に含まれる報知内容の重要度と、新たに取得した報知情報に含まれる報知内容の重要度とを配信範囲毎で比較する、請求項１又は２に記載の情報送信装置。
【請求項４】
前記制御手段は、前記再送対象ではなくなった配信情報に対応する報知情報に含まれる識別情報に対応する識別情報を含む報知情報が新たに取得されたとき、当該再送対象ではなくなった配信情報に対応する報知情報に含まれる報知内容の重要度と、当該新たに取得された報知情報に含まれる報知内容の重要度とを比較して、当該比較した結果に基づいて、新たに取得された報知情報に含まれる報知内容に基づく配信情報を送信する、請求項１〜３の何れか一項に記載の情報送信装置。
【請求項５】
情報を送信する装置で実行される情報送信方法であって、
報知内容、当該報知内容を含む報知内容の集合を識別する識別情報、及び当該報知内容の重要度を含む情報である報知情報を取得する取得ステップと、
前記取得ステップによって取得された報知情報に含まれる報知内容に基づいた配信情報を送信する送信ステップと、
前記送信ステップによって送信済みの配信情報を所定のタイミングで再送させると共に、前記取得ステップによって再送対象の配信情報に対応する報知情報に含まれる識別情報に対応する識別情報を含む報知情報が新たに取得された場合、当該再送対象の配信情報に対応する報知情報に含まれる報知内容の重要度と、当該新たに取得された報知情報に含まれる報知内容の重要度とを比較して、当該比較した結果に基づいて、当該再送対象の配信情報及び当該新たに取得された報知情報に含まれる報知内容に基づく配信情報の何れか一方の配信情報を送信させて、他方の配信情報を以後の送信対象から除外する制御ステップと、
を含む情報送信方法。
【発明の詳細な説明】
【技術分野】
【０００１】
本発明は、情報送信装置及び情報送信方法に関する。
【背景技術】
【０００２】
気象庁のサーバ等から送信された、地震や津波等の災害を示す情報（例えば、地震の震度や津波の警告レベルを示す情報を含む情報）である緊急情報を配信サーバが受信し、配信サーバが当該緊急情報を移動体通信網のエリア単位で端末等に配信する技術がある。例えば、特許文献１に記載のシステムなどがある。
【先行技術文献】
【特許文献】
【０００３】
【特許文献１】特開２００９−２２２５５３号公報
【発明の概要】
【発明が解決しようとする課題】
【０００４】
ところで、上述のような地震情報や津波警報等の緊急情報を、より多くの端末（携帯端末等）が受信できることが望まれる。そのため、配信サーバが、緊急情報を複数回再送し、一時的に移動体通信網の圏外に位置していた端末でも再送時に受信させることにより、より多くの端末が緊急情報を受信できるようにすることが考えられる。
【０００５】
しかし、更新された緊急情報（例えば、同一の地震に基づいた津波情報であって、注意報から警報に更新された情報）を新たに配信する場合、配信サーバが、再送対象の緊急情報と、更新された緊急情報とを配信してしまうことが考えられる。その場合、端末が、再送対象の緊急情報と、更新された緊急情報とを混在して受信してしまう可能性がある。
【０００６】
例えば、津波の特性としては、第１波よりも第２波の方が高くなる傾向があり、また、影響エリアも拡大する。さらには、津波到達まで数分から数十分以上も要することがある。そのため、ある程度長期的な期間の中で複数回の情報更新がなされることが考えられる。よって、津波のように情報がある程度長い期間（数分から数十分以上）で順次情報が更新されるようなサービスの場合に、更新された緊急情報の後に、再送された緊急情報を受信してしまう可能性がある。この結果、端末が、結果として古い緊急情報を提示する可能性があり、端末のユーザを混乱させてしまう可能性があるという問題点がある。
【０００７】
上記の問題点を解決するために、再送情報と更新された情報とが混在してしまうことを回避し得る情報送信装置、及び情報送信方法を提供することを目的とする。
【課題を解決するための手段】
【０００８】
本発明に係る情報送信装置は、報知内容、当該報知内容を含む報知内容の集合を識別する識別情報、及び当該報知内容の重要度を含む情報である報知情報を取得する取得手段と、取得手段によって取得された報知情報に含まれる報知内容に基づいた配信情報を送信する送信手段と、送信手段によって送信済みの配信情報を所定のタイミングで再送させると共に、取得手段によって再送対象の配信情報に対応する報知情報に含まれる識別情報に対応する識別情報を含む報知情報が新たに取得された場合、当該再送対象の配信情報に対応する報知情報に含まれる報知内容の重要度と、当該新たに取得された報知情報に含まれる報知内容の重要度とを比較して、当該比較した結果に基づいて、当該再送対象の配信情報及び当該新たに取得された報知情報に含まれる報知内容に基づく配信情報の何れか一方の配信情報を送信させて、他方の配信情報を以後の送信対象から除外する制御手段と、を備える。
【０００９】
本発明に係る情報送信方法は、情報を送信する装置で実行される情報送信方法であって、報知内容、当該報知内容を含む報知内容の集合を識別する識別情報、及び当該報知内容の重要度を含む情報である報知情報を取得する取得ステップと、取得ステップによって取得された報知情報に含まれる報知内容に基づいた配信情報を送信する送信ステップと、送信ステップによって送信済みの配信情報を所定のタイミングで再送させると共に、取得ステップによって再送対象の配信情報に対応する報知情報に含まれる識別情報に対応する識別情報を含む報知情報が新たに取得された場合、当該再送対象の配信情報に対応する報知情報に含まれる報知内容の重要度と、当該新たに取得された報知情報に含まれる報知内容の重要度とを比較して、当該比較した結果に基づいて、当該再送対象の配信情報及び当該新たに取得された報知情報に含まれる報知内容に基づく配信情報の何れか一方の配信情報を送信させて、他方の配信情報を以後の送信対象から除外する制御ステップと、を含む。
【００１０】
このような本発明に係る情報送信装置及び情報送信方法では、送信済みの報知情報に含まれる識別情報に対応する識別情報を含む報知情報が新たに取得された場合、再送対象の配信情報に対応する報知情報に含まれる報知内容の重要度と、新たに取得された報知情報に含まれる報知内容の重要度とを比較して、一方の配信情報のみ送信することにより、再送対象の配信情報と新たに取得した報知情報に含まれる報知内容に基づいた配信情報との両方の情報を送信しないようにする。これにより、再送対象の配信情報と新たに取得した報知情報に含まれる配信情報とが混在してしまうことを回避することができる。すなわち、再送情報と更新された情報とが混在してしまうことを回避することができる。
【００１１】
本発明に係る情報送信装置では、再送対象の配信情報に対応する報知情報に含まれる報知内容の重要度と、新たに取得した報知情報に含まれる報知内容の重要度とを比較した結果、再送対象の配信情報に対応する報知情報に含まれる報知内容の重要度と、新たに取得された報知情報に含まれる報知内容の重要度とが異なる場合に、新たに取得された報知情報に含まれる報知内容に基づく配信情報を送信させてもよい。この情報送信装置によれば、報知内容の重要度に変化がある場合のみ、新たに取得した報知情報の報知内容に基づいた配信情報を送信するので、送信先の装置のユーザに再送であるか否かを正確に判断させることができる。
【００１２】
本発明に係る情報送信装置では、制御手段は、再送対象ではなくなった配信情報に対応する報知情報に含まれる識別情報に対応する識別情報を含む報知情報が新たに取得されたとき、当該再送対象ではなくなった配信情報に対応する報知情報に含まれる報知内容の重要度と、当該新たに取得された報知情報に含まれる報知内容の重要度とを比較して、当該比較した結果に基づいて、新たに取得された報知情報に含まれる報知内容に基づく配信情報を送信してもよい。この情報送信装置によれば、再送対象の配信情報が再送対象ではなくなった場合に、当該再送対象ではなくなった配信情報に対応する報知情報に含まれる報知内容の重要度を用いて、新たに取得された報知情報に基づいた配信情報を送信するか否かを判断するので、再送対象であった時（例えば、再送上限に達する前）と同等の比較結果に基づいて送信制御することができる。すなわち、送信済みの配信情報が再送対象でなくなっても、当該送信済みの配信情報との比較結果に基づいて送信するので、送信済みの配信情報と比較した結果に基づいて、配信すべき配信情報を絞ることができる。例えば、再送対象ではなくなった送信済みの配信情報の重要度より高い重要度の配信情報のみ配信することができる。これにより、ユーザにとって不要な配信情報が配信されることを防止することができる。
【００１３】
本発明に係る情報送信装置では、配信情報を送信する範囲である配信範囲が予め定められており、報知情報の報知内容の重要度は、配信範囲毎に定められており、制御手段は、取得手段によって、再送対象の配信情報に対応する報知情報に含まれる識別情報に対応する識別情報を含む報知情報を新たに取得された場合、再送対象の配信情報に対応する報知情報に含まれる報知内容の重要度と、新たに取得した報知情報に含まれる報知内容の重要度とを配信範囲毎で比較してもよい。この情報送信装置によれば、配信範囲単位で重要度を比較するので、配信範囲単位で再送するか否かを制御することができる。
【発明の効果】
【００１４】
本発明によれば、再送対象の配信情報に対応する報知情報に含まれる報知内容の重要度と、新たに取得された報知情報に含まれる報知内容の重要度とを比較して、一方の配信情報のみ送信することにより、再送対象の配信情報と新たに取得した報知情報に含まれる報知内容に基づいた配信情報との両方の情報を送信しないようにするので、再送対象の配信情報と新たに取得した報知情報に含まれる配信情報とが混在してしまうことを回避することができる。
【図面の簡単な説明】
【００１５】
【図１】本発明の実施形態に係るシステムのブロック図である。
【図２】ＣＢＣ１０のハードウェア構成を示す図である。
【図３】警告種別のランク情報の一例を示す図である。
【図４】前回報と今回報との関係を示す図である。
【図５】ＣＢＣ１０による処理のフローチャートである。
【図６】配信情報の配信制御の例を示す図である。
【発明を実施するための形態】
【００１６】
以下、添付図面を参照して、本発明の好適な実施形態について詳細に説明する。なお、図面の説明において同一又は相当要素には同一符号を付し、重複する説明は省略する。
【００１７】
図１に本発明の実施形態に係る情報送信装置を含むシステムを示す。このシステムは、同報配信装置（情報送信装置）であるＣＢＣ（Cell Broadcast Center）１０とＣＢＥ（Cell BroadcastEntity）２０とＳＧＳＮ（Serving General packet radio Servicesupport Node）３０とを含んで構成される。ＣＢＣ１０は、ＣＢＥ２０と通信接続可能な装置である。ＣＢＥ２０は、気象庁等に配置され、津波等の各種災害時に災害に関する電文（災害に関する情報を含む報知情報）を送信する。ＳＧＳＮ３０は、移動体通信網である３Ｇ（3rdGeneration）網において、パケット通信のためのセッションを設定し、パケット交換の制御を行う。
【００１８】
このシステムは、ＣＢＥ２０から送信される電文に基づいた配信情報（一斉同報する情報であって、災害の警告を示す情報等）を図示しない端末（例えば、携帯電話等）へ移動体通信網を介して提供するシステムである。当該配信情報は、例えば、テキスト形式の情報である。具体的には、津波等の災害が発生する可能性を検知したタイミング又は災害が発生したタイミングで、ＣＢＥ２０が災害に関する電文を生成し、当該電文をＣＢＥ２０からＣＢＣ１０へ送信する。ＣＢＣ１０は、当該電文を受信して、当該電文に基づいた配信情報を端末に提供する。本実施形態では、ＣＢＣ１０が、災害に関する電文として、津波に関する電文を受信した場合の処理について説明する。
【００１９】
この電文は、津波ＩＤ（津波を識別する情報である識別情報）と、報知する内容を示す報知内容と、当該報知情報の重要度を示す重要度情報とを含む。報知内容及び重要度情報として、災害の警告を示す情報（例えば、津波無し、津波注意報、津波警報、大津波警報を示す情報）である災害警告情報が電文に含まれる。また、津波に関する電文は、上記配信情報を送信する範囲（配信範囲）である移動体通信網におけるエリアを識別するエリアＩＤも含める。上記エリアは、ＣＢＣ１０及びＣＢＥ２０で予め定められている。電文は、複数のエリアＩＤを含めることができる。また、電文では、エリアＩＤ毎に災害警告情報が定められている。すなわち、各エリアＩＤに災害警告情報が対応付けられる。また、津波に関する情報は、ある程度長期的な期間の中で複数回の情報更新がなされることが考えられる。そこで、ＣＢＥ２０は、同一原因（例えば、同一地震）による初報の津波ＩＤと、続報（第２報以降）の津波ＩＤが同一となるように電文を生成し、当該電文をＣＢＣ１０へ送信する。このように、ＣＢＥ２０は、電文間における報知内容が、同一原因の津波であるか否かを識別できるように津波ＩＤを生成する。すなわち、津波ＩＤは、報知内容の集合を識別する情報となる。
【００２０】
ＣＢＣ１０は、ＣＢＥ２０から電文を受信すると、当該電文から各エリアＩＤに対応する災害警告情報を抽出し、抽出した内容に基づいて配信情報を生成し、当該配信情報の配信先となるエリア（当該配信情報に対応するエリアＩＤに対応するエリア）に関連付けられたＳＧＳＮ３０へ配信情報を送信する。ＳＧＳＮ３０は、ＣＢＥ２０から受信した配信情報を図示しない無線制御装置であるＲＮＣ（Radio Network Controller）へ送信し、ＲＮＣが配信情報をＲＮＣの配信範囲内に位置する全ての端末へ、例えばブロードキャストで送信する。ＳＧＳＮ３０及びＲＮＣは、公知の装置により実現できる。また、ＣＢＣ１０からＲＮＣまでの通信経路にはコアネットワークが設けられ、ＣＢＣ１０とＲＮＣとの間の通信区間については、３ＧＰＰ（3rdGeneration Partnership Project）の標準規格であるＴＳ２５．４１９によるＳＡＢＰ（Service Area Broadcast Protocol）が適用される。
【００２１】
ＣＢＣ１０は、送信済みの配信情報を記憶して、所定のタイミングで当該配信情報を、当該配信情報の配信先のエリアに属するＳＧＳＮ３０へ再送する。このように、ＣＢＣ１０は、所定のタイミングで配信情報を再送することにより、例えば、初回送信時に津波警報対象の地域外に位置する端末が、後に津波警報対象の地域へ移動した場合に、当該端末へ配信情報を送信することができる。これにより、当該端末のユーザへ津波警報を通知することができ、ユーザを避難させることができる。
【００２２】
図２は、本実施形態のＣＢＣ１０のハードウェア構成を示す図である。ＣＢＣ１０は、物理的には、図２に示すように、１又は複数のＣＰＵ１０１、主記憶装置であるＲＡＭ１０２及びＲＯＭ１０３、ネットワークカード等のデータ送受信デバイスである通信モジュール１０４、半導体メモリ等の補助記憶装置１０５などを含むコンピュータシステムとして構成されている。
【００２３】
ＣＢＣ１０の機能は、図２に示すＣＰＵ１０１、ＲＡＭ１０２等のハードウェア上に１又は複数の所定のコンピュータソフトウェアを読み込ませることにより、ＣＰＵ１０１の制御のもとで通信モジュール１０４を動作させるとともに、ＲＡＭ１０２や補助記憶装置１０５におけるデータの読み出し及び書き込みを行うことで実現される。
【００２４】
続いて、図１に戻り、ＣＢＣ１０の機能の詳細を説明する。ＣＢＣ１０は、受信部１１（取得手段）、制御部１２（制御手段）、及び送信部１３（送信手段）を含んで構成されている。
【００２５】
受信部１１は、ＣＢＥ２０から電文を受信する部分である。また、受信部１１は、ＣＢＥ２０から電文を受信すると、当該電文のフォーマットチェックをする。例えば、予め津波用の電文フォーマットが定められており、受信部１１は、フォーマットチェックとして、当該電文フォーマットに該当するか否かを判断することにより、津波用の電文であるか否かをチェックする。また、受信部１１は、フォーマットチェックした結果、受信した電文が津波用の電文であると判定した場合、当該電文の内容を解析する。具体的には、受信部１１は、解析処理として、電文内容を参照し、津波ＩＤと、エリアＩＤと、各エリアＩＤに対応する災害警告情報とを抽出する。
【００２６】
受信部１１は、解析した結果（津波ＩＤと、エリアＩＤと、各エリアＩＤに対応する災害警告情報）を制御部１２へ送出する。
【００２７】
制御部１２は、受信部１１から解析した結果を受け取り、受け取った結果（解析結果）を参照して、当該解析結果に基づいた配信情報を送信対象とするか否かを制御する部分である。制御部１２は、大きく分けて３つの処理を行う。制御部１２は、解析結果に基づく配信情報が初報である場合に、当該配信情報を送信する処理を行う。また、制御部１２は、所定のタイミングで送信済みの配信情報を再送する処理（再送制御）を行う。制御部１２は、解析結果に含まれる津波ＩＤと同一の津波ＩＤ、且つ解析結果に含まれるエリアＩＤと同一のエリアＩＤに対応する災害警告情報に基づいた配信情報が送信済みである場合、解析結果に基づく配信情報と、送信済みの配信情報との何れか一方を配信するように制御する処理を行う。ここで、初報とは、解析結果に含まれる津波ＩＤ、エリアＩＤに対応する災害警告情報についての配信情報が過去に送信されていないことを示す。
【００２８】
まず、解析結果に基づく配信情報が初報である場合の処理を説明する。前提として、制御部１２は、送信済みの配信情報を含めた、配信情報の送信履歴の情報である履歴情報の集合であるバッファ情報を記憶手段（補助記憶装置１０５等）に記憶している。具体的には、履歴情報は、津波ＩＤと、エリアＩＤと、当該エリアＩＤに対応する災害警告情報に基づくランク（詳細は後述する）と、送信済みの配信情報（再送対象の配信情報）と、配信情報の送出時刻と、配信情報のシリアルナンバーとを配信情報毎に有している。すなわち、１つの履歴情報に１つの配信情報が含まれる。また、バッファ情報は、送信済みの配信情報を含む履歴情報の集合を有しているので、再送対象となる配信情報全体を保有している。このシリアルナンバーは、新規に生成された配信情報毎に新たに割り当てられる値であり、配信情報を受信する端末に過去に受信した配信情報と同一内容か否かを判断させるための情報である。制御部１２は、同一内容の配信情報には、同一のシリアルナンバーを対応付けて、配信情報を新たに生成する場合には、過去に生成されていないシリアルナンバーを新たに生成する。過去に生成されていないシリアルナンバーを新たに生成する方法として、過去に生成したシリアルナンバーを全て保有して、当該過去に生成したシリアルナンバーとは異なるシリアルナンバーを新たに生成する方法等がある。制御部１２は、上記履歴情報を用いて、初報であるか否かを判断したり、後述の再送処理を行ったりする。
【００２９】
制御部１２は、上述のバッファ情報を参照して、解析結果に含まれるエリアＩＤ毎に、解析結果に含まれる津波ＩＤと同一の津波ＩＤであり、解析結果に含まれるエリアＩＤと同一のエリアＩＤに対応する配信情報が履歴情報に含まれているか否かを判断し、当該配信情報が履歴情報に含まれていないと判断した場合、初報であると判断する。また、制御部１２は、解析結果に含まれるエリアＩＤ毎に、解析結果に含まれる津波ＩＤと同一の津波ＩＤ、且つ解析結果に含まれるエリアＩＤと同一のエリアＩＤに対応する配信情報が履歴情報に含まれている場合、初報でないと判断する。
【００３０】
制御部１２は、解析結果に含まれる津波ＩＤ、エリアＩＤに対応する配信情報が初報（過去に当該配信情報が送信されていない状態）であると判断した場合、当該エリアＩＤに対応するエリアに属するＳＧＳＮ３０に対して配信情報を送信する旨決定する。そして、制御部１２は、解析した結果の内、災害警告情報に基づいた配信情報を生成すると共に、当該配信情報のシリアルナンバーを生成する。具体的には、制御部１２は、災害警告情報に基づいた配信情報として、災害警告情報を含む配信情報を生成する。制御部１２は、判断対象のエリアＩＤと、配信情報と、シリアルナンバーとを送信部１３へ送出する。なお、制御部１２は、エリアＩＤに対応する配信情報が初報であっても、エリアＩＤに対応する災害警告情報が「津波無し」である場合、当該エリアＩＤに対応するエリアに属するＳＧＳＮ３０に対して配信情報を送信しない。これは、災害警告情報が「津波無し」であることを示すエリアに位置する端末のユーザへ避難を促す必要が無いためである。
【００３１】
送信部１３は、制御部１２からエリアＩＤと、配信情報と、シリアルナンバーとを受け取ると、配信情報の送信先のエリア（制御部１２から受け取ったエリアＩＤに対応するエリア）に対応するＳＧＳＮ３０に対して配信情報及びシリアルナンバーを送信する。なお、送信部１３は、配信情報の送信先のエリアと、当該エリアに対応するＳＧＳＮ３０を定義した情報を記憶しており、当該情報を用いて、送信先のＳＧＳＮ３０を特定している。制御部１２は、配信情報と、シリアルナンバーと送信部１３へ送出することにより、配信情報とシリアルナンバーとをＳＧＳＮ３０を介して端末に受信させる。端末は、シリアルナンバーを参照し、過去に受信したシリアルナンバーと同一であるか否かを判断し、過去に受信したシリアルナンバーと異なる場合、過去に受信した配信情報とは異なると判断し、受信した配信情報を出力する。また、端末は、今回受信したシリアルナンバーと過去に受信したシリアルナンバーとが同一である場合、過去に受信した配信情報と同一の配信情報を受信したと判断し、当該配信情報を出力しない。このように、端末は、重複する内容の配信情報を複数回出力してしまうことを防止する。
【００３２】
また、制御部１２は、制御部１２自身に組み込まれているタイマを用いて、判断対象のエリアＩＤと、配信情報と、シリアルナンバーとを送信部１３へ送出した時刻（送出時刻）を特定する。制御部１２は、判断対象のエリアＩＤに対応する災害警告情報のランクを特定する。このランクとは、災害警告情報のレベル（災害警告情報の重要度）を示す値である。制御部１２は、災害警告情報に対応するランクの判定表であるランク判定表を記憶している。制御部１２は、当該ランク判定表を参照し、災害警告情報に対応するランクを特定する。ここで、ランク判定表を図３に示す。ランク判定表は、災害警告情報と、当該災害警告情報のランクとを有している。すなわち、ランク判定表は、災害警告情報と、ランクとを対応付けて記憶している。図３に示す例では、ランクの数値が高い程、災害警告情報の重要度が高いことを示す。
【００３３】
続いて、再送制御について説明する。具体的に、制御部１２は、生成した配信情報と、当該配信情報の送信先となるエリアＩＤとを送出したタイミング（当該配信情報を含む履歴情報に記憶されている送出時刻）から所定期間（例えば５分）経過すると、記憶されている履歴情報に含まれる配信情報を送信部１３へ再送する。制御部１２は、例えば１分毎に、バッファ情報中の各履歴情報に含まれる送信時刻を参照し、再送タイミングであるか否かを判断し、再送タイミングであると判断した履歴情報に含まれる配信情報を送信部１３へ再送する。制御部１２は、配信情報を再送する際に、送信部１３へ再送タイミングである配信情報、当該配信情報に対応するエリアＩＤ、及び当該配信情報のシリアルナンバーを送信部１３へ送出する。なお、制御部１２は、再送回数に制限（再送上限）を設けている。本実施形態では、再送回数の制限を２回とする。制御部１２は、再送回数の制限を示す情報を予め記憶している。制御部１２は、配信情報を再送回数分送信すると、当該配信情報を含む履歴情報に再送不要である旨の情報を含めるようにする。例えば、制御部１２は、当該履歴情報に、再送不要である旨の情報として、再送不要フラグ情報を追加する。制御部１２は、バッファ情報中の履歴情報に含まれる送信時刻を参照して、再送タイミングであるか否かを判断する際に、再送不要フラグ情報が追加されているか否かを判断し、再送不要フラグ情報が追加されている場合には、再送対象から除外する。このように、制御部１２は、履歴情報に含まれる配信情報であって、当該履歴情報に再送不要フラグが追加されていない配信情報が、再送対象の配信情報になる。
【００３４】
続いて、解析結果に基づく配信情報が初報でない場合（すなわち、続報である場合）、解析結果に基づく配信情報と、配信済みの配信情報との何れか一方を配信するように制御する処理の説明をする。制御部１２は、何れかの履歴情報に含まれる津波ＩＤと同一の津波ＩＤを含み、且つ当該履歴情報に含まれるエリアＩＤと同一のエリアＩＤを含む解析結果を受信部１１から取得した場合、当該履歴情報に含まれるランクと、解析結果に含まれる当該エリアＩＤに対応する災害警告情報のランクとを比較する。
【００３５】
制御部１２が、新たに受信した解析結果に含まれるエリアＩＤに対応する災害警告情報のランクと、上記の履歴情報（再送対象の配信情報を含む履歴情報）に含まれるランクとを比較して、その比較結果に基づいて、新たに受信した解析結果に含まれるエリアＩＤに対応する災害警告情報に基づく配信情報を送信する必要が有るか否かを判断する。新たに受信した解析結果に含まれるエリアＩＤに対応する災害警告情報のランクが、上記履歴情報に含まれる災害警告情報のランクを超えている場合、制御部１２は、新たに受信した解析結果に含まれるエリアＩＤに対応する災害警告情報を用いた配信情報を生成する。一方、新たに受信した解析結果の災害警告情報のランクが、再送対象の災害警告情報のランク以下である場合、新たに受信した解析結果の災害警告情報を用いた配信情報を送信対象としない。
【００３６】
ここで、新たに受信した解析結果に含まれるエリアＩＤに対応する災害警告情報のランクと、再送対象の配信情報を含む履歴情報に含まれるランクとを比較した結果に基づく判断結果を図４に示す。図４に示す縦軸は、再送対象の配信情報に対応する災害警告情報を示し、横軸は、新たに受信した解析結果（今回報）に含まれる災害警告情報を示す。新たに受信した解析結果の災害警告情報のランクが、再送対象（前回報）の災害警告情報のランクを超えている場合、今回報に対応する配信情報を送信対象とすることを意味する「要」とし、今回報の災害警告情報のランクが前回報の災害警告情報のランク以下である場合、今回報に対応する配信情報を送信対象としないことを意味する「不要」としている。
【００３７】
制御部１２は、解析結果に含まれる判断対象のエリアＩＤに対応する災害警告情報に対応するランクの方が上回っている場合、新たに解析結果として取得した当該エリアＩＤに対応する災害警告情報を用いた配信情報を生成し、当該配信情報と当該エリアＩＤと、当該履歴情報に含まれる新たに生成したシリアルナンバーとを、送信部１３へ送出する。また、制御部１２は、制御部１２自身に組み込まれているタイマを用いて、判断対象のエリアＩＤと、配信情報と、シリアルナンバーとを送信部１３へ送出した時刻（送出時刻）を特定する。
【００３８】
そして、制御部１２は、上記履歴情報に含まれるランクを解析結果の災害警告情報のランクに更新し、上記履歴情報に含まれる配信情報を、新たに解析結果として取得した当該エリアＩＤに対応する災害警告情報を用いた配信情報に更新し、履歴情報に含まれるシリアルナンバーを上記の新たに生成したシリアルナンバーに更新し、履歴情報に含まれる送出時刻を、上記の新たに特定した送出時刻に更新する。
【００３９】
このように、制御部１２は、再送対象の配信情報を含む履歴情報に含まれるランクと、解析結果に含まれる災害警告情報のランクとを比較して、解析結果に含まれる災害警告情報のランクの方が上回っている場合に、履歴情報の配信情報等を更新してしまうことにより、更新前に記憶されていた配信情報を再送してしまうことを防止することができる。すなわち、新たに受信された解析結果に含まれる判断対象のエリアＩＤに対応する災害警告情報を用いた配信情報を配信した後に、当該配信情報より古い情報を送信してしまうことを防止することができる。
【００４０】
制御部１２は、何れかの履歴情報に含まれる津波ＩＤと同一の津波ＩＤを含み、且つ当該履歴情報に含まれるエリアＩＤと同一のエリアＩＤを含む解析結果を受信部１１から取得した場合、当該履歴情報に含まれるランクと、解析結果に含まれる災害警告情報のランクとを比較して、解析結果の災害警告情報に対応するランクの方が下回っている場合、解析結果に含まれる上記エリアＩＤに対応する災害警告情報に基づいて配信情報を生成することなく、当該履歴情報に含まれる配信情報を再送タイミングに再送する。
【００４１】
このように、制御部１２は、再送対象の配信情報を含む履歴情報中の津波ＩＤと同一の津波ＩＤを含む解析結果が新たに受信部１１によって受信された場合、当該再送対象の配信情報に対応するランクと、当該新たに取得されたランク（解析結果の内、配信情報に対応するエリアＩＤと同一のエリアＩＤに対応する災害警告情報のランク）とを比較して、当該比較した結果に基づいて、当該再送対象の配信情報及び当該新たに取得された解析結果に基づく配信情報の何れか一方の配信情報を送信させて、他方の配信情報を以後の送信対象から除外する。
【００４２】
また、制御部１２は、再送対象であった配信情報が再送上限に達していた場合（当該配信情報を含む履歴情報に再送不要フラグが追加された場合）、再送上限に達した配信情報に対応する電文に含まれる津波ＩＤと同一の津波ＩＤを含む電文が新たに取得されたとき、当該再送上限に達した配信情報に対応する災害警告情報のランクと、当該新たに取得された電文に含まれる災害警告情報のランクとを比較する。制御部１２は、比較した結果、当該新たに取得された電文に含まれる災害警告情報のランクが、当該再送上限に達した配信情報に対応する災害警告情報のランクを上回る場合、新たに取得された電文に含まれる災害警告情報に基づく配信情報を送信する。また、制御部１２は、当該新たに取得された電文に含まれる災害警告情報のランクが、当該再送上限に達した配信情報に対応する災害警告情報のランク以下である場合は、当該新たに取得された電文に含まれる災害警告情報に基づく配信情報を送信しない。
【００４３】
送信部１３は、受信部１１によって受信された電文に含まれる災害警告情報に基づいた配信情報を送信する部分である。具体的には、送信部１３は、制御部１２から配信情報、エリアＩＤ、及びシリアルナンバーを受信する。続いて、送信部１３は、エリアＩＤに対するエリアに含まれるＳＧＳＮ３０が定義されている情報を参照して、配信情報の送信先となるＳＧＳＮ３０を特定し、特定したＳＧＳＮ３０に対して配信情報及びシリアルナンバーを送信する。なお、送信部１３は、制御部１２から再送対象の配信情報、エリアＩＤ、及びシリアルナンバーを受信した場合も上述と同様の処理により、配信情報及びシリアルナンバーをＳＧＳＮ３０へ送信する。送信部１３は、ＣＢＣ１０とＳＧＳＮ３０間のＳＡＢＰ回線のコネクションの接続／切断、及びＴＣＰ送受信・回線の状態管理を行うことにより、上述の機能を実現する。
【００４４】
続いて、図５のフローチャートを用いて、本実施形態に係るシステムで実行される処理及び動作（ＣＢＣ１０による情報送信方法）を説明する。図５に記載のフローチャートは、同一の津波ＩＤを含む電文を複数回受信した場合に、配信情報の送信制御をする処理を示す図である。
【００４５】
まず、ＣＢＥ２０が、地震等により津波が発生する可能性があることを検知すると、ＣＢＥ２０は、電文を生成し、ＣＢＣ１０へ当該電文を送信する。受信部１１は、これに応じて電文を受信する（ステップＳ１  取得ステップ）。受信部１１は、受信した電文を解析し、解析結果を制御部１２へ送出する（ステップＳ２）。
【００４６】
制御部１２は、解析結果の内容及びバッファ情報中の履歴情報を参照し、解析結果に含まれる津波ＩＤと同一の津波ＩＤを含んでおり、且つ解析結果に含まれるエリアＩＤと同一のエリアＩＤを含む履歴情報がバッファ情報に含まれているか否かを判断する。当該履歴情報がバッファ情報に含まれていなければ、制御部１２は、上記解析結果に含まれる津波ＩＤについて、エリアＩＤに対応する災害警告情報を用いた配信情報が初報であると判断する。
【００４７】
制御部１２は、初報であると判断した場合、配信情報を生成する。続いて、制御部１２は、配信情報の送信先のエリアに対応するエリアＩＤと当該配信情報と、シリアルナンバーとを送信部１３へ送出し、送信部１３が送信先のエリアに対応するＳＧＳＮ３０へ配信情報を送信する（ステップＳ３  送信ステップ）。また、制御部１２は、津波ＩＤ，エリアＩＤ、配信情報、及びシリアルナンバーを含む履歴情報をバッファ情報に含めて、当該バッファ情報を書き込む。
【００４８】
受信部１１が、続いて新たな電文を受信すると（ステップＳ４；ＹＥＳ）、当該電文を解析し、解析結果を制御部１２へ送出する。制御部１２は、受信部１１から受け取った解析結果を参照し、当該解析結果に含まれる津波ＩＤと同一の津波ＩＤを含み、且つ当該解析結果に含まれるエリアＩＤと同一のエリアＩＤを含む履歴情報があるか否かを判断する。制御部１２は、当該履歴情報があると判断した場合（続報であると判断した場合）、当該履歴情報に含まれるランクと、解析結果に含まれる上記判断対象のエリアＩＤに対応する災害警告情報のランクとを比較する。当該比較の結果、解析結果に含まれる上記判断対象のエリアＩＤに対応する災害警告情報のランクの方が上である場合（ステップＳ５；ＹＥＳ）、制御部１２は、上記判断対象のエリアＩＤに対応する災害警告情報を用いて配信情報を生成し、さらに新たなシリアルナンバーを生成する。続いて、制御部１２は、上記判断対象のエリアＩＤと当該配信情報と当該シリアルナンバーを送信部１３へ送出し、送信部１３が送信先のエリアに対応するＳＧＳＮ３０へ配信情報を送信する（ステップＳ６  送信ステップ）。また、制御部１２は、津波ＩＤ，エリアＩＤ、配信情報、及びシリアルナンバーを含む履歴情報をバッファ情報へ書き込む。なお、制御部１２は、履歴情報における配信情報等の更新処理をする。
【００４９】
制御部１２は、初報又は続報から５分経過した場合、再送タイミングに該当する履歴情報中の配信情報を送信部１３へ送出し（ステップＳ７）、送信部１３が当該配信情報を再送する（ステップＳ８）。
【００５０】
制御部１２は、初報又は続報から１０分経過した場合、再送タイミングに該当する履歴情報中の配信情報を送信部１３へ送出し（ステップＳ９）、送信部１３が当該配信情報を再送する（ステップＳ１０）。
【００５１】
続いて、図６に示すＣＢＣ１０の動作例を説明する。この動作例は、ＣＢＥ２０から、同一津波ＩＤを含む電文を複数受信した場合における、ＣＢＣ１０の制御を示す例である。前提として、ＣＢＣ１０が履歴情報を有していないものとする。
【００５２】
最初に、ＣＢＣ１０は、ＣＢＥ２０からエリアＡに対応する災害警告情報が「警報」、エリアＢに対応する災害警告情報が「警報」、エリアＣに対応する災害警告情報が「津波無し」を示す津波に関する電文５１を９時に受信したものとする。ＣＢＣ１０は、履歴情報を有していないため、初報である。よって、ＣＢＣ１０は、電文５１に基づいた配信情報をエリアＡ及びエリアＢに対応するＳＧＳＮ３０へ送信する。なお、エリアＣに対応する災害警告情報が「津波無し」であるため、ＣＢＣ１０は、エリアＣへ配信情報を送信しない。
【００５３】
この時点で、ＣＢＣ１０は、エリアＡに送信した配信情報を含む履歴情報、及びエリアＢに送信した配信情報を含む履歴情報をバッファ情報に含めて記憶する。
【００５４】
続いて、ＣＢＣ１０は、エリアＡに対応する災害警告情報が「注意報」、エリアＢに対応する災害警告情報が「大津波警報」、エリアＣに対応する災害警告情報が「警報」であることを示す津波に関する電文５２を９時３分にＣＢＥ２０から受信する。この場合、電文５２は、第２報になり、エリアＡに対応する災害警告情報のランクは、初報のエリアＡに対応する災害警告情報のランクより下がる。よって、ＣＢＣ１０は、電文５２に含まれるエリアＡに対応する災害警告情報を含む配信情報を送信対象から外す。電文５２のエリアＢに対応する災害警告情報のランクが、初報のエリアＢに対応する災害警告情報のランクより上であるので、ＣＢＣ１０は、電文５２に含まれるエリアＢに対応する災害警告情報を含む配信情報を送信対象とする。電文５２のエリアＣに対応する災害警告情報が「警報」であり、電文５１について、エリアＣに対応する災害警告情報を含む配信情報を送信対象としていなかったので、ＣＢＣ１０は、電文５２についてエリアＣに対応する災害警告情報を含む配信情報を送信対象とする。
【００５５】
この時点では、ＣＢＣ１０は、電文５１の津波ＩＤ、エリアＡに対応する災害警告情報のランク、エリアＡに送信した配信情報を履歴情報に記憶している。また、エリアＢに対応する履歴情報を電文５２のエリアＢに対応する災害警告情報のランク、電文５２のエリアＢに対する配信情報に更新する。また、ＣＢＣ１０は、エリアＣに対応する履歴情報をエリアＣに対応する災害警告情報のランク、エリアＣに対する配信情報に更新する。このように、エリアＢ及びエリアＣに関する情報を更新することにより、更新された情報を送信した後に、更新された情報より古い情報を配信してしまうことを回避することができる。従来の場合、電文５２のエリアＢに対する配信情報を送信した後に、初報（電文５１）のエリアＢに対応する災害警告情報を含む配信情報を継続して再送してしまうので、更新された情報を送信した後に、更新された情報より古い情報を配信してしまうことになる。
【００５６】
９時５分となると、ＣＢＣ１０は、電文５１に基づく配信情報を配信してから５分が経過しているので、この時点で電文５１に基づく配信情報を配信してから他の電文に基づく配信情報を配信していないエリアに対して、配信情報を再送する。この場合、ＣＢＣ１０は、エリアＡに対してのみ配信情報を配信する。
【００５７】
９時８分となると、ＣＢＣ１０は、電文５２に基づく配信情報を配信してから５分が経過しているので、この時点で電文５２に基づく配信情報を配信してから他の電文に基づく配信情報を配信していないエリアに対して、配信情報を再送する。この場合、ＣＢＣ１０は、エリアＢ及びエリアＣに対して配信情報を再送する。
【００５８】
９時１０分となると、ＣＢＣ１０は、電文５１に基づく配信情報を配信してから１０分が経過しているので、この時点で電文５１に基づく配信情報を配信してから他の電文に基づく配信情報を配信していないエリアに対して、配信情報を再送する。この場合、ＣＢＣ１０は、エリアＡに対してのみ配信情報を配信する。また、この時点で電文５１に基づく配信情報の再送回数が２回となるので、電文５１に基づく配信情報の再送をしないように上述の再送不要フラグ情報を付加する。
【００５９】
続いて、ＣＢＣ１０は、エリアＡに対応する災害警告情報が「大津波警報」、エリアＢに対応する災害警告情報が「大津波警報」、エリアＣに対応する災害警告情報が「警報」であることを示す津波に関する報知内容を含む電文５３を９時１２分にＣＢＥ２０から受信する。この場合、電文５３は、第３報になる。エリアＡに対応する災害警告情報は、「大津波警報」であるので、当該災害警告情報のランクは、エリアＡに対する過去の再送対象の配信情報の災害警告情報のランクより上である。よって、ＣＢＣ１０は、電文５３に含まれるエリアＡに対応する災害警告情報を含む配信情報を送信対象とする。なお、エリアＢ及びエリアＣのランクについては、電文５２の各エリアのランクと変化が無いため、ＣＢＣ１０は、エリアＢ及びエリアＣに対応する災害警告情報を含む配信情報を送信対象としない。
【００６０】
この時点では、ＣＢＣ１０は、エリアＡに対応する履歴情報を電文５３の内容に基づいて更新する。
【００６１】
９時１３分となると、ＣＢＣ１０は、電文５２に基づく配信情報を配信してから１０分が経過しているので、この時点で電文５２に基づく配信情報を配信してから他の電文に基づく配信情報を配信していないエリアに対して、配信情報を再送する。この場合、ＣＢＣ１０は、エリアＢ及びエリアＣに対してのみ配信情報を配信する。また、この時点で電文５２に基づく配信情報の再送回数が２回となるので、電文５２に基づく配信情報の再送をしないようにする。すなわち、エリアＢ及びエリアＣについての電文５２に基づく配信情報の再送をしないように上述の再送不要フラグ情報を付加する。
【００６２】
９時１７分となると、ＣＢＣ１０は、電文５３に基づく配信情報を配信してから５分が経過しているので、この時点で電文５３に基づく配信情報を配信してから他の電文に基づく配信情報を配信していないエリアに対して、配信情報を再送する。この場合、ＣＢＣ１０は、エリアＡに対してのみ配信情報を配信する。
【００６３】
９時２２分となると、ＣＢＣ１０は、電文５３に基づく配信情報を配信してから１０分が経過しているので、この時点で電文５３に基づく配信情報を配信してから他の電文に基づく配信情報を配信していないエリアに対して、配信情報を再送する。この場合、ＣＢＣ１０は、エリアＡに対してのみ配信情報を配信する。また、この時点で電文５３に基づく配信情報の再送回数が２回となるので、ＣＢＣ１０は、電文５３に基づく配信情報の再送をしないようにする。すなわち、エリアＡについての電文５３に基づく配信情報の再送をしないように上述の再送不要フラグ情報を付加する。
【００６４】
続いて、ＣＢＣ１０は、エリアＡに対応する災害警告情報が「注意報」、エリアＢに対応する災害警告情報が「警報」、エリアＣに対応する災害警告情報が「注意報」であることを示す津波に関する報知内容を含む電文５４を９時３０分にＣＢＥ２０から受信する。この場合、電文５４は、第４報になる。いずれのエリアのランクも前回報のランク（再送不要フラグ情報が付加され、再送対象ではなくなった配信情報を含む履歴情報に含まれるランク）と比較して低いため、電文５４に基づく配信情報を配信しない。
【００６５】
従来のようにＣＢＣが、初報／続報を考慮することなく配信情報を送信したり、再送したりすると、端末が、最新の配信情報（続報の配信情報）を受信した後に、当該最新の配信情報の前の配信情報（初報の配信情報）を再送により受信してしまうことがある。すなわち、端末は、更新された情報と、古い情報（初報の配信情報）との受信順序が逆転した状態で受信してしまい、古い情報を新しい情報として端末のユーザに提供してしまう。
【００６６】
一方、本実施形態では、再送対象の配信情報に基づくランクと新たに受信した情報に基づくランクとを比較した結果に基づいて、何れか一方のみ送信するので、端末が、更新された情報と、以前の情報との受信順序が逆転した状態で受信してしまうことを防止することができる。
【００６７】
以上述べた本実施形態に係るＣＢＣ１０では、受信部１１によって災害警告情報の集合を識別する津波ＩＤ及び災害警告情報を含む情報である電文を受信し、送信部１３によって、災害警告情報に基づいた配信情報が送信される。また、ＣＢＣ１０では、制御部１２によって、送信済みの配信情報を所定のタイミングで送信部１３に再送させると共に、再送対象の配信情報に対応する電文に含まれる津波ＩＤと同一の津波ＩＤを含む電文が新たに取得された場合、当該再送対象の配信情報に対応する電文に含まれる災害警告情報のランクと、当該新たに取得された電文に含まれる災害警告情報のランクとを比較して、当該比較した結果に基づいて、当該再送対象の配信情報及び当該新たに取得された電文に含まれる災害警告情報に基づく配信情報の何れか一方の配信情報を送信させて、他方の配信情報を以後の送信対象から除外される。
【００６８】
このように、ＣＢＣ１０は、送信済みの電文に含まれる津波ＩＤと同一の津波ＩＤを含む電文を新たに取得した場合、再送対象の配信情報に含まれるランクと、新たに取得した電文に含まれるランクとを比較して、一方の配信情報のみ送信することにより、再送対象の配信情報と新たに取得した電文に基づく配信情報との両方の情報を送信しないようにするので、再送対象の配信情報と新たに取得した電文に基づく配信情報とが混在してしまうことを回避することができる。
【００６９】
また、制御部１２は、再送対象の配信情報に対応する災害警告情報のランクと、新たに取得した電文に含まれる災害警告情報のランクとを比較した結果、再送対象の配信情報に対応する電文に含まれる災害警告情報のランクと、新たに取得された電文に含まれる災害警告情報のランクとが異なる場合（例えば、新たに取得された電文に含まれる災害警告情報のランクが再送対象の配信情報に対応する電文に含まれる災害警告情報のランクを上回る場合）に、新たに取得された電文に含まれる災害警告情報に基づく配信情報を送信させる。この場合、ＣＢＣ１０は、災害警告情報のランクに変化がある場合のみ、新たに取得した電文の災害警告情報に基づいた配信情報を送信するので、送信先の装置（端末装置）のユーザに再送であるか否かを正確に判断させることができる。上述の実施形態において、制御部１２は、新たに取得された電文に含まれる災害警告情報のランクが再送対象の配信情報に対応する電文に含まれる災害警告情報のランクを上回る場合に、新たに取得された電文に含まれる災害警告情報に基づく配信情報を送信させて、再送対象の配信情報の送信を抑止しているので、送信先の装置のユーザに最新の情報を正確に判断させることができる。
【００７０】
また、配信情報を送信する範囲であるエリアが予め定められており、電文の災害警告情報のランクは、エリア毎に定められている。制御部１２は、受信部１１によって、再送対象の配信情報に対応する津波ＩＤと同一の津波ＩＤを含む電文を新たに取得された場合、再送対象の配信情報に対応する災害警告情報のランクと、新たに取得した電文に含まれる災害警告情報のランクとをエリア毎で比較してもよい。この場合、ＣＢＣ１０は、エリア単位でランクを比較するので、エリア単位で再送するか否かを制御することができる。
【００７１】
また、制御部１２は、再送対象ではなくなった配信情報に対応する電文に含まれていた津波ＩＤと同一の津波ＩＤを含む電文が新たに取得されたとき、当該再送対象ではなくなった配信情報に対応する電文に含まれる災害警告情報のランクと、当該新たに取得された電文に含まれる配信情報の災害警告情報のランクとを比較して、当該比較した結果に基づいて、新たに取得された電文に含まれる災害警告情報に基づく配信情報を送信する。この場合、再送対象の配信情報が再送対象ではなくなった場合に、当該再送対象ではなくなった配信情報の災害警告情報のランクを用いて、新たに取得された報知情報に基づいた配信情報を送信するか否かを判断するので、再送対象であった時（再送上限に達する前）と同等の比較結果に基づいて送信制御することができる。また、履歴情報に含まれる配信情報が再送対象であった時は、災害警告情報のランクが高くなった場合のみに送信していたにも関わらず、再送対象でなくなった途端に、再送対象であった配信情報に対応するランク（配信情報を含む履歴情報に含まれるランク）以下のランクを示す配信情報（例えば、「津波注意報」である災害警告情報を用いた配信情報）を送信してしまうことを防止できる。これにより、端末が、ユーザにとって不要な配信情報（再送対象だった時の条件に合致しない配信情報）を受信してしまうことを防止することができる。
【００７２】
上述の実施形態では、新たに取得された電文に含まれるランクが再送対象の配信情報に対応する電文に含まれるランクを上回る場合に、新たに取得された電文に含まれる災害警告情報に基づく配信情報を送信させる場合について述べたが、新たに取得された電文に含まれるランクが再送対象の配信情報に対応する電文に含まれるランクを下回る場合に、新たに取得された電文に含まれる災害警告情報に基づく配信情報を送信させてもよい。この場合も、災害警告情報に変化がある場合のみ、新たに取得した災害警告情報に基づいた配信情報を送信するので、送信先の装置のユーザに再送であるか否かを正確に判断させることができる。
【００７３】
上述の実施形態では、津波に関する電文を用いる場合について述べたが、地震等の他の災害情報に適用してもよい。
【００７４】
上述の実施形態では、ＣＢＣ１０は、配信情報をＳＧＳＮ３０へ送信する場合について述べたが、ＬＴＥのパケット交換機（ＭＭＥ（Mobility Management Entity））へ送信するようにしてもよい。また、本発明は、３Ｇ、ＬＴＥ等の無線方式（世代）に限られない任意の移動体通信網によるシステムに適用することができる。
【００７５】
上述の実施形態では、ＣＢＣ１０の制御部１２がシリアルナンバーを生成する場合について述べたが、ＣＢＥ２０が各電文にシリアルナンバーを含めるようにしてもよい。例えば、ＣＢＥ２０が、同一津波ＩＤの電文間において異なるシリアルナンバーを含めることが考えられる。
【００７６】
上述の実施形態では、再送できなくなった場合として、再送回数の制限に達した場合について述べたが、再送可能期間（例えば、送信してから所定期間）を超えた場合に再送できなくなった場合や再送を所定の条件で中断したことにより再送できなくなった場合も含んでもよい。
【００７７】
上述の実施形態では、再送対象の配信情報に対応する電文に含まれる津波ＩＤと同一の津波ＩＤを含む電文が新たに取得された場合、当該再送対象の配信情報に対応する電文に含まれる災害警告情報のランクと、当該新たに取得された電文に含まれる災害警告情報のランクとを比較する場合について述べたが、再送対象の配信情報に対応する電文に含まれる津波ＩＤに対応する津波ＩＤを含む電文が新たに取得された場合に上記比較をするようにしてもよい。再送対象の配信情報に対応する電文に含まれる津波ＩＤに対応する津波ＩＤの例としては、再送対象の配信情報に対応する電文に含まれる津波ＩＤの一部が一致する津波ＩＤが該当する。この場合、津波ＩＤは、対応する個々の電文（報知内容）一意に対応付けられたものであってもよい。
【００７８】
上述の実施形態では、初報の際、エリアＩＤに対応する災害警告情報が「津波無し」以外である場合に、配信情報を送信する場合について述べたが、災害警告情報のランクが一定以上（例えば、警報のランク以上）の場合に、配信情報を送信するようにしてもよい。
【００７９】
上述の実施形態では、新たに取得された電文に含まれるランクが再送対象の配信情報に対応する電文に含まれるランクを上回る場合に、新たに取得された電文に含まれる災害警告情報に基づく配信情報を送信させる場合について述べたが、新たに取得された電文に含まれるランクが再送対象の配信情報に対応する電文に含まれるランク以上である場合に、新たに取得された電文に含まれる災害警告情報に基づく配信情報を送信させてもよい。すなわち、新たに取得された電文に含まれるランクと再送対象の配信情報に対応する電文に含まれるランクとが同一の場合も、新たに取得された電文に含まれる災害警告情報に基づく配信情報を送信させてもよい。あるいは、新たに取得された電文に含まれるランクが再送対象の配信情報に対応する電文に含まれるランク以下である場合に、新たに取得された電文に含まれる災害警告情報に基づく配信情報を送信させてもよい。
【符号の説明】
【００８０】
１０…ＣＢＣ、１１…受信部、１２…制御部、１３…送信部、２０…ＣＢＥ、３０…ＳＧＳＮ、５１、５２、５３、５４…電文、１０１…ＣＰＵ、１０２…ＲＡＭ、１０３…ＲＯＭ、１０４…通信モジュール、１０５…補助記憶装置。
【図１】
0006416671.tif 000002
【図２】
0006416671.tif 000003
【図３】
0006416671.tif 000004
【図４】
0006416671.tif 000005
【図５】
0006416671.tif 000006
【図６】
0006416671.tif 000007